(57)【要約】【課題】  複数のモードの中から設定したホワイトバランス調整モードが適切でない場合、自動的に他のモードに切り替えて適切なホワイトバランス調整を行う。【解決手段】  選択されたモードのホワイトバランス調整（ＷＢＣ）をデジタル撮像機器に設定するＷＢＣ設定手段１５と、マニュアルＷＢＣ（ｍＢＣ）時のミレッド値Ｍｍと、プリセットＷＢＣ（ｐＷＢＣ）時の、ミレッド値Ｍｐと、撮像時のミレッド値Ｍｂとを決定するミレッド決定手段１７と、Ｍｍ又はＭｐと、Ｍｂとを比較するミレッド比較手段１８と、ＷＢＣ設定手段１５を制御する制御手段１１とを備え、制御手段１１は、ミレッド比較結果に基づいて、ｍＷＢＣの設定を、ｐＷＢＣ又はａＷＢＣの設定へ変更し、ｐＷＢＣの設定を、ａＷＢＣの設定へ変更する。【選択図】      図１
2006050436.tif 000002
【特許請求の範囲】
【請求項１】
デジタル撮像機器のためのホワイトバランス調整装置であって、
所定の照明光を指定してホワイトバランス調整ＷＢＣを行うマニュアルホワイトバランス調整ｍＷＢＣ、撮像に先だって任意の白色光源からのカラー信号を取得しＷＢＣをプリセットするプリセットホワイトバランス調整ｐＷＢＣ、及び、撮像しながら撮像背景のカラー信号に基づいてＷＢＣを行うオートホワイトバランス調整ａＷＢＣ、の中からいずれか１つの前記ＷＢＣを選択するＷＢＣ選択手段と、
前記選択されたＷＢＣを前記デジタル撮像機器に設定するＷＢＣ設定手段と、
前記ｍＷＢＣ時の照明光色温度の逆数Ｍｍと、前記ｐＷＢＣ時の照明光色温度の逆数Ｍｐと、撮像時の照明光色温度の逆数Ｍｂとを決定するミレッド決定手段と、
前記Ｍｍ又はＭｐと、前記Ｍｂとを比較するミレッド比較手段と、
前記ＷＢＣ設定手段を制御する制御手段とを備え、
前記制御手段は、前記ミレッド比較手段による比較結果に基づいて、
前記ｍＷＢＣの設定を、前記ｐＷＢＣ又はａＷＢＣの設定へ変更し、
前記ｐＷＢＣの設定を、前記ａＷＢＣの設定へ変更することを特徴とするホワイトバランス調整装置。
【請求項２】
請求項１記載のホワイトバランス調整装置において、
さらに、ホワイトバランスがずれている旨の警告を行う警告手段を備え、
前記ミレッド比較手段が、前記Ｍｍ又はＭｐから前記Ｍｂを減算した結果が第１閾値より大きく、第２閾値より大きくないと判定したときは、
前記制御手段は、前記警告手段に前記警告を行わせることを特徴とするホワイトバランス調整装置。
【請求項３】
請求項２記載のホワイトバランス調整装置において、
さらに、ストロボ発光手段を備え、
前記ミレッド決定手段は、前記ストロボ発光手段の照明光色温度の逆数Ｍｓを決定し、
前記ミレッド比較手段が、前記Ｍｍ又はＭｐから前記Ｍｓを減算した値が前記第２閾値より大きいと判定したときは、
前記制御手段は、前記ストロボ発光手段の発光を禁止することを特徴とするホワイトバランス調整装置。
【請求項４】
請求項１記載のホワイトバランス調整装置において、
さらに、シャッターを備え、
前記ミレッド比較手段が、前記Ｍｍ又はＭｐから前記Ｍｂを減算した値が前記第２閾値より大きいと判定したときは、
前記制御手段は、前記シャッターをロックすることを特徴とするホワイトバランス調整装置。
【請求項５】
請求項１記載のホワイトバランス調整装置を使用するホワイトバランス調整方法において、
前記ＷＢＣ設定手段において、照明光からの３色カラー信号を取得するステップと、
前記ミレッド決定手段において、前記３色カラー信号を相互に等しくさせる変換係数を求め、前記変換係数に基づいて、前記照明光の色温度を決定し、その逆数を求めるステップと、
前記ミレッド比較手段において、前記Ｍｍ又はＭｐから前記Ｍｂを減算するステップと、
前記制御手段において、前記減算結果に基づいて、前記ｍＷＢＣの設定を、前記ｐＷＢＣ又はａＷＢＣの設定へ変更し、前記ｐＷＢＣの設定を、前記ａＷＢＣの設定へ変更するステップとを含むことを特徴とするホワイトバランス調整方法。
【請求項６】
請求項２記載のホワイトバランス調整装置を使用するホワイトバランス調整方法において、
前記ミレッド比較手段において、前記Ｍｍ又はＭｐから前記Ｍｂを減算するステップと、
前記制御手段において、前記減算の結果が前記第１閾値より大きく、前記第２閾値より大きくないときは、前記警告手段に前記警告を行わせるステップとを含むことを特徴とするホワイトバランス調整方法。
【請求項７】
請求項３記載のホワイトバランス調整装置を使用するホワイトバランス調整方法において、
前記ミレッド決定手段において、前記ストロボ発光装置の照明光色温度の逆数Ｍｓを決定するステップと、
前記ミレッド比較手段において、前記Ｍｍ又はＭｐから前記Ｍｓを減算するステップと、
前記制御手段において、前記減算の結果が前記第２閾値より大きいと判定したときは、前記ストロボ発光手段の発光を禁止するステップとを含むことを特徴とするホワイトバランス調整方法。
【請求項８】
請求項４記載のホワイトバランス調整装置を使用するホワイトバランス調整方法において、
前記ミレッド比較手段において、前記Ｍｍ又はＭｐから前記Ｍｂを減算し、前記第２閾値と比較するステップと、
前記制御手段において、前記減算の結果が前記第２閾値より大きいときは、前記シャッターをロックすることを特徴とするホワイトバランス調整方法。
【発明の詳細な説明】
【技術分野】
【０００１】
本発明は、デジタルカメラやデジタルビデオカメラなどのデジタル撮像機器のためのホワイトバランス調整装置及び方法に関する。
【背景技術】
【０００２】
デジタルカメラやデジタルビデオカメラなどのデジタル撮像機器では、白い物を白い物として撮像記録することができるよう、照明光の色温度に合わせて、カラー（ＲＧＢ）信号のゲインを調整するホワイトバランス調整（ＷＢＣ）が行われる。
最も簡易なＷＢＣは、所定の照明光・光源、例えば、電球、蛍光灯、太陽光、ストロボ、曇天などの色温度をあらかじめ算出して、色温度と対応するＲＧＢ信号ゲインをデータデーブルとしてデジタル撮像機器内に格納しておき、撮影時にユーザが光源を選択するマニュアルＷＢＣ（ｍＷＢＣ）調整がある。
【０００３】
また、光源を選択するのではなく、撮影時に、白色板などを撮像してＲＧＢ信号を取得し、そのＲＧＢ信号を白色とする色温度を算出するプリセットＷＢＣ（ｐＷＢＣ）がある。これは、特許文献１に開示されており、ｍＷＢＣよりきめ細かいＷＢＣが可能である。
さらに、１回の撮像ごとに、例えば、撮像領域を２５６分割して測光し、所定の方式でＷＢＣを行うオートＷＢＣ（ａＷＢＣ）もある。このａＷＢＣによれば、複数の光源がミックスしていても、白の色味を所定の方式で調整することもできる。
【特許文献１】特開平１１−２６１８８２号公報（段落０００５）
【発明の開示】
【発明が解決しようとする課題】
【０００４】
しかし、ｍＷＢＣでは、数種類の中から光源を選択するだけであるため、選択した光源の色温度が、撮像時の色温度とは合致しないことが少なくなく、ＷＢＣは不満足なものとなることがある。
また、ｐＷＢＣでは、プリセットした条件から外れたとき、例えば、日向から日陰へカメラを向けたときや、晴天が突然曇天に変わったときなど、プリセットした色温度は、撮像時の実際の色温度とは異なることとなり、やはり、ＷＢＣは不満足なものとなることがある。
【０００５】
一方、ａＷＢＣは、撮像するその場で自動的に照明光の色温度を検知するため、ｍＷＢＣやｐＷＢＣのような欠点はより少なく、より正確なＷＢＣを行うことができる。
そこで、本発明は、ｍＷＢＣやｐＷＢＣの場合でも、より正確なＷＢＣを行うことを目的とする。
【課題を解決するための手段】
【０００６】
上記の課題を解決するため、本発明においては、マニュアルホワイトバランス調整（ｍＷＢＣ）又はプリセットホワイトバランス調整（ｐＷＢＣ）において設定した照明光の色温度の逆数（ミレッド値）と、撮像するその場でのミレッド値を比較し、その比較結果に基づいて、ｍＷＢＣの設定を、ｐＷＢＣ又はａＷＢＣの設定へ変更し、ｐＷＢＣの設定を、ａＷＢＣの設定へ変更する。
【０００７】
具体的には、請求項１に係る発明は、デジタル撮像機器のためのホワイトバランス調整装置であって、所定の照明光を指定してホワイトバランス調整ＷＢＣを行うマニュアルホワイトバランス調整ｍＷＢＣ、撮像に先だって任意の白色光源からのカラー信号を取得しＷＢＣをプリセットするプリセットホワイトバランス調整ｐＷＢＣ、及び、撮像しながら撮像背景のカラー信号に基づいてＷＢＣを行うオートホワイトバランス調整ａＷＢＣ、の中からいずれか１つの上記ＷＢＣを選択するＷＢＣ選択手段と、上記選択されたＷＢＣを上記デジタル撮像機器に設定するＷＢＣ設定手段と、上記ｍＷＢＣ時の照明光色温度の逆数Ｍｍと、上記ｐＷＢＣ時の照明光色温度の逆数Ｍｐと、撮像時の照明光色温度の逆数Ｍｂとを決定するミレッド決定手段と、上記Ｍｍ又はＭｐと、上記Ｍｂとを比較するミレッド比較手段と、上記ＷＢＣ設定手段を制御する制御手段とを備え、上記制御手段は、上記ミレッド比較手段による比較結果に基づいて、上記ｍＷＢＣの設定を、上記ｐＷＢＣ又はａＷＢＣの設定へ変更し、上記ｐＷＢＣの設定を、上記ａＷＢＣの設定へ変更することを特徴とする。
【０００８】
また、請求項２に係る発明は、請求項１記載のホワイトバランス調整装置において、さらに、ホワイトバランスがずれている旨の警告を行う警告手段を備え、上記ミレッド比較手段が、上記Ｍｍ又はＭｐから上記Ｍｂを減算した結果が第１閾値より大きく、第２閾値より大きくないと判定したときは、上記制御手段は、上記警告手段に上記警告を行わせることを特徴とする。
【０００９】
また、請求項３に係る発明は、請求項２記載のホワイトバランス調整装置において、さらに、ストロボ発光手段を備え、上記ミレッド決定手段は、上記ストロボ発光手段の照明光色温度の逆数Ｍｓを決定し、上記ミレッド比較手段が、上記Ｍｍ又はＭｐから上記Ｍｓを減算した値が上記第２閾値より大きいと判定したときは、上記制御手段は、上記ストロボ発光手段の発光を禁止することを特徴とする。
【００１０】
また、請求項４に係る発明は、請求項１記載のホワイトバランス調整装置において、さらに、シャッターを備え、上記ミレッド比較手段が、上記Ｍｍ又はＭｐから上記Ｍｂを減算した値が上記第２閾値より大きいと判定したときは、上記制御手段は、上記シャッターをロックすることを特徴とする。
また、請求項５に係る発明は、請求項１記載のホワイトバランス調整装置を使用するホワイトバランス調整方法において、上記ＷＢＣ設定手段において、照明光からの３色カラー信号を取得するステップと、上記ミレッド決定手段において、上記３色カラー信号を相互に等しくさせる変換係数を求め、上記変換係数に基づいて、上記照明光の色温度を決定し、その逆数を求めるステップと、上記ミレッド比較手段において、上記Ｍｍ又はＭｐから上記Ｍｂを減算するステップと、上記制御手段において、上記減算結果に基づいて、上記ｍＷＢＣの設定を、上記ｐＷＢＣ又はａＷＢＣの設定へ変更し、上記ｐＷＢＣの設定を、上記ａＷＢＣの設定へ変更するステップとを含むことを特徴とする。
【００１１】
また、請求項６に係る発明は、請求項２記載のホワイトバランス調整装置を使用するホワイトバランス調整方法において、上記ミレッド比較手段において、上記Ｍｍ又はＭｐから上記Ｍｂを減算するステップと、上記制御手段において、上記減算の結果が上記第１閾値より大きく、上記第２閾値より大きくないときは、上記警告手段に上記警告を行わせるステップとを含むことを特徴とする。
【００１２】
また、請求項７に係る発明は、請求項３記載のホワイトバランス調整装置を使用するホワイトバランス調整方法において、上記ミレッド決定手段において、上記ストロボ発光装置の照明光色温度の逆数Ｍｓを決定するステップと、上記ミレッド比較手段において、上記Ｍｍ又はＭｐから上記Ｍｓを減算するステップと、上記制御手段において、上記減算の結果が上記第２閾値より大きいと判定したときは、上記ストロボ発光手段の発光を禁止するステップとを含むことを特徴とする。
【００１３】
また、請求項８に係る発明は、請求項４記載のホワイトバランス調整装置を使用するホワイトバランス調整方法において、上記ミレッド比較手段において、上記Ｍｍ又はＭｐから上記Ｍｂを減算し、上記第２閾値と比較するステップと、上記制御手段において、上記減算の結果が上記第２閾値より大きいときは、上記シャッターをロックすることを特徴とする。
【発明の効果】
【００１４】
本発明によれば、ユ−ザのホワイトバランス設定の誤りによる、撮影画像のホワイトバランスずれによる失敗を防止できる。そのため、マニュアルホワイトバランス調整（ｍＷＢＣ）やプリセットホワイトバランス調整（ｐＷＢＣ）の場合でも、より正確なＷＢＣを行うことができる。
【発明を実施するための最良の形態】
【００１５】
以下、図面を参照して、本発明の実施の形態について説明する。
［ホワイトバランス調整装置］
図１は、デジタルカメラやデジタルビデオカメラなどのデジタル撮像機器に内蔵されたホワイトバランス調整装置のブロック図である。
図１に示すように、デジタル撮像機器側では、レンズ系１で被写体の画像をＣＣＤ２に結像させてＣＣＤ２から画像信号を出力し、当該画像信号出力をＡ／Ｄ３によってデジタル信号に変換し、原画像信号としてドラフトメモリ４に格納する。その後、階調補正やエッジ強調などの画像処理を画像処理手段５にて行い、画像処理手段５から出力される画像信号がＪＰＥＧ（Joint Photographic Expets Group)規格などに従って圧縮処理手段６にて圧縮される。そして、圧縮処理手段６から出力される画像信号は、液晶表示装置などの画像表示手段７にて表示され、不揮発性半導体メモリなどの画像記録手段８に記録される。
【００１６】
さらに、ドラフトメモリ４の出力は、ホワイトバランス調整装置１０に接続されている。
ここに、ホワイトバランス調整装置１０は、デジタル撮像機器側のボタンを操作するなどしてユーザが所望のホワイトバランス調整（ＷＢＣ）を選択するＷＢＣ選択手段１６と、選択されたＷＢＣを上記デジタル撮像機器に設定するＷＢＣ設定手段１５と、照明光の色温度の逆数（ミレッド値）を決定するミレッド決定手段１７と、マニュアルホワイトバランス調整（ｍＷＢＣ）で決定されたミレッド値、又は、プリセットホワイトバランス調整（ｐＷＢＣ）で決定されたミレッド値と、撮像しようとするその場でのミレッド値とを比較するミレッド比較手段１８と、ミレッド比較手段の比較結果を入力しＷＢＣ設定手段を制御する制御手段１１を備えている。
【００１７】
なお、ＷＢＣ選択手段１６により、３つのＷＢＣ（所定の照明光を指定してホワイトバランス調整ＷＢＣを行うマニュアルホワイトバランス調整ｍＷＢＣ、撮像に先だって任意の白色光源からのカラー信号を取得しＷＢＣをプリセットするプリセットホワイトバランス調整ｐＷＢＣ、及び、撮像しながら撮像背景のカラー信号に基づいてＷＢＣを行うオートホワイトバランス調整ａＷＢＣ）の中からいずれかを選択することができる。
【００１８】
また、ミレッド決定手段１７により、ｍＷＢＣ時の照明光色温度の逆数Ｍｍと、ｐＷＢＣ時の照明光色温度の逆数Ｍｐと、撮像時の照明光色温度の逆数Ｍｂとが決定される。
ホワイトバランス調整装置１０は、さらに、シャッター１２、ストロボ発光手段１３、警告手段１４を備え、ミレッド比較手段１８によるミレッド値比較結果に基づいて、これらを制御する。
【００１９】
すなわち、制御手段１１は、ミレッド比較手段１８による比較結果に基づいて、ホワイトバランスが撮像に適さないほどずれている場合には、シャッター１２をロックし、ストロボ発光手段１３の発光を禁止する。また、制御手段１１は、撮像は可能であるがホワイトバランスがずれている旨の警告（音声、音、振動、文字などによる表示）を警告手段１４に生成させる。
【００２０】
なお、ホワイトバランス調整装置１０は、演算回路、シフトレジスタ、メモリ、入出力回路などを備えたマイクロプロセッサなどの半導体回路を含み、その半導体回路は、プログラムにより、自らを、ＷＢＣ設定手段１５、ミレッド決定手段１７、ミレッド比較手段１８、制御手段１１として機能させる。
また、図１では、制御手段１１は、デジタル撮像機器の制御も行っているが、ホワイトバランス調整装置専用のものであってもよい。
【００２１】
ここで、図２を参照して、ミレッド決定手段１７が決定するｍＷＢＣ時の照明光色温度の逆数Ｍｍ（ミレッド値）について説明する。
図２は、照明光・照明光源のミレッド値を決定する方法を説明するためのフローチャートである。
まず、Ｓ１において、上記照明光からの３色カラー信号Ｒ（赤信号）、Ｇ（緑信号）、Ｂ（青信号）を取得する。
【００２２】
次に、Ｓ２において、３色カラー信号Ｒ，Ｇ，Ｂを互いに相等しい値の３色カラー信号ｒ（赤信号）、ｇ（緑信号）、ｂ（青信号）に変換させる変換係数ＫＲ、ＫＧ、ＫＢを計算する。ここに、ｒ＝ｇ＝ｂであり、変換係数ＫＲ、ＫＧ、ＫＢは以下の式を満たす。
ｒ＝ＫＲ＊Ｒ、ｇ＝ＫＧ＊Ｇ、ｂ＝ＫＢ＊Ｂ
次に、Ｓ３において、ＣＩＥ（国際照明委員会）のｘｙ色度図を利用し、３色カラー信号Ｒ、Ｇ、Ｂによる黒体軌跡（完全放射体軌跡）上の点を求め、色温度Ｔを決定する。このような変換により得られる白色光ｒ、ｇ、ｂは、ｘｙ色度図上の等エネルギー白色光である。
【００２３】
次に、Ｓ４において、色温度Ｔの逆数の１０6倍してミレッド値を得る。
図３は、ｍＷＢＣ時に指定することができる照明光・照明光源（写真用タングステン電球、白色蛍光灯、太陽光、ストロボ発光手段ＳＢ、曇天）の色温度Ｔと変換係数ＫＲ、ＫＧ、ＫＢの関係の一例を示す表である。色温度Ｔは、電球では３２００度、蛍光灯では４５００度、曇天の雲、晴天の日陰の太陽光では５５００度、ストロボ発光手段１３では６０００度、晴天正午前後の太陽光で６８００度である。
【００２４】
また、変換係数ＫＧは１．０に規格化してある。
図３に示した表は、ｍＷＢＣ用のデータテーブルとして、ミレッド決定手段１７内に一旦格納すれば、撮像時に参照するだけでよく、撮像ごとに、色温度Ｔを求めミレッド値を決定する必要はない。
また、ｐＷＢＣ時のミレッド値Ｍｐや撮像時のミレッド値Ｍｂも、図２のフローチャートに従って決定することができる。
【００２５】
なお、その際、Ｓ３において、前回決定されたミレッド値を上述したデータテーブルに記憶しておいて、今回の撮像時に読み出してもよい。そのため、データテーブルには、上述した５つの照明光・照明光源だけでなく、例えば、日の出・日没の太陽、日の出後２時間・日没後２時間の太陽など種々の照明光について色温度Ｔと変換係数ＫＲ、ＫＧ、ＫＢを記憶できるようデータテーブルを構成しておけばよい。
【００２６】
また、前回使用したミレッド値が存在しない場合でも、上述したデータテーブルを参照して、内挿近似により、色温度Ｔを求めてもよい。具体的には、例えば、Ｓ２で求めた変換係数ＫＲ、ＫＢが電球と蛍光灯の間に位置すると仮定すると、ＫＢは０．９から１．６の間であり、ＫＢは２．５から２．１の間であり、色温度は３２００度から４５００度の間である。そこで、Ｓ２で求めた変換係数ＫＲ、ＫＢでこれらの範囲を内分し、色温度を推定することとしてもよい。
【００２７】
［ホワイトバランス調整方法］
図４は、マニュアルホワイトバランス調整（ｍＷＢＣ）をＷＢＣ選択手段１６にて選択したときのホワイトバランス調整（ＷＢＣ）方法を説明するためのフローチャートである。
まずＳ１０において、ミレッド決定手段１７は、ｍＷＢＣ時のミレッド値Ｍｍを決定する。
【００２８】
次に、Ｓ２０において、制御手段１１は、ストロボ発光手段１３を発光するよう設定しているか否かを判定する。
ここで、Ｓ２０において、ストロボ発光が設定されていないと判定されたときは、Ｓ２１へ進むが、それ以降の処理は後述する。
一方、Ｓ２０において、ストロボ発光が設定されていると判定されたときは、Ｓ３０に進んで、ミレッド決定手段１７は、データテーブルを参照して、ストロボ光のミレッド値Ｍｓを読み出す。
【００２９】
次に、Ｓ４０において、ミレッド比較手段１８は、ミレッド値の差分（Ｍｍ−Ｍｓ）は第２閾値より大きいか否かを判定する。
ここで、Ｓ４０において、ミレッド値の差分（Ｍｍ−Ｍｓ）は第２閾値より大きくないと判定されれば、すべての処理を終了し、既に設定されたｍＷＢＣの内容で撮像が行われる。その理由は、ＭｍとＭｓが少し違うだけであるので、あえてストロボ発光を禁止するまでもないからである。
【００３０】
一方、Ｓ４０において、ミレッド値の差分（Ｍｍ−Ｍｓ）は第２閾値より大きいと判定されれば、ストロボ光の色温度がｍＷＢＣの色温度よりも大きいため、ｍＷＢＣを優先させて、Ｓ５０に進んで、ストロボ発光の設定を解除し、さらにＳ２１へ進む。
そこで、Ｓ２１において、ミレッド決定手段１７は、撮像前の（撮像しようとするその場での）モニタ画像の色温度の逆数Ｍｂ（ミレッド値）を決定する。そのため、ミレッド決定手段１７は、ドラフトメモリ１４から入力された原撮像画像（画像処理前の撮像画像）を、例えば、撮像領域を２５６分割して測光し、その色温度を算出し、その逆数であるミレッド値Ｍｂを求める。
【００３１】
次に、Ｓ６０において、ミレッド比較手段１８は、ミレッド値の差分（Ｍｍ−Ｍｂ）は第１閾値より大きいか否かを判定する。ここに、第１閾値は第２閾値より小さい正の値である。
ここで、Ｓ６０において、ミレッド値の差分（Ｍｍ−Ｍｂ）は第１閾値より大きくないと判定されれば、すべての処理を終了し、既に設定されたｍＷＢＣの内容で撮像を行わせる。その理由は、ミレッド値ＭｍとＭｂとがあまり違わないからである。
【００３２】
一方、Ｓ６０において、ミレッド値の差分（Ｍｍ−Ｍｂ）は第１閾値より大きいと判定されれば、Ｓ７０に進んで、ミレッド値の差分（Ｍｍ−Ｍｂ）は第２閾値より大きいか否かを判定する。
ここで、Ｓ７０において、ミレッド値の差分（Ｍｍ−Ｍｂ）は第２閾値より大きくないと判定されれば、Ｓ７１に進み、制御手段１１は、警告手段１４を駆動して、ホワイトバランスがずれている旨の警告を生成させる。その理由は、ＭｍとＭｓが少し違うだけであるので、あえて撮像を禁止するまでもないからである。
【００３３】
そこで、Ｓ７１で警告を出した後はＳ７２に進み、ｍＷＢＣの設定を変更するか否かを撮像する者にＷＢＣ選択手段１６から入力させる。
ここで、Ｓ７２において、撮像する者が、ＷＢＣ設定を変更しない旨の入力を行えば、全処理を終了し、撮像する者の意思に従って、撮像を行わせる。
一方、Ｓ７２において、撮像する者が、ＷＢＣ設定を変更する旨の入力を行えば、Ｓ７３に進み、制御手段１１は、ＷＢＣ設定手段１５を制御して、ｍＷＢＣをｐＷＢＣに切り替える。その理由は、ミレッド値ＭｍとＭｂの違いが少しだけであるので、ｍＷＢＣより精度が高いｐＷＢＣに切り替えれば、正確なＷＢＣを期待することができるからである。
【００３４】
一方、Ｓ７０において、ミレッド値の差分（Ｍｍ−Ｍｂ）は第２閾値より大きいと判定されれば、Ｓ８０に進み、制御手段１１は、シャッタをロックする。その理由は、ミレッド値ＭｍとＭｂは相当程度異なるため、撮像に適さないからである。
そこで、Ｓ９０に進み、ｍＷＢＣの設定を変更するか否かを撮像する者にＷＢＣ選択手段１６から入力させる。
【００３５】
ここで、Ｓ９０において、撮像する者が、ＷＢＣ設定を変更する旨の入力を行えば、制御手段１１は、ｍＷＢＣを、３つのＷＢＣモードの中で最も精度が高いａＷＢＣに切り替える。
一方、Ｓ９０において、撮像する者が、ＷＢＣ設定を変更しない旨の入力を行えば、Ｓ９１に進み、制御手段１１は、シャッタロックを解除して、撮像する者の意思に従って、撮像を行わせる。
【００３６】
図５は、プリセットホワイトバランス調整（ｐＷＢＣ）をＷＢＣ選択手段１６にて選択したときのホワイトバランス調整（ＷＢＣ）方法を説明するためのフローチャートである。
まずＳ１１において、ミレッド決定手段１７は、ｐＷＢＣ時のミレッド値Ｍｐを決定する。
【００３７】
次に、Ｓ２０において、制御手段１１は、ストロボ発光手段１３を発光するよう設定しているか否かを判定する。
ここで、Ｓ２０において、ストロボ発光が設定されていないと判定されたときは、Ｓ２１へ進むが、それ以降の処理は後述する。
一方、Ｓ２０において、ストロボ発光が設定されていると判定されたときは、Ｓ３０に進んで、ミレッド決定手段１７は、データテーブルを参照して、ストロボ光のミレッド値Ｍｓを読み出す。
【００３８】
次に、Ｓ４１において、ミレッド比較手段１８は、ミレッド値の差分（Ｍｐ−Ｍｓ）は第２閾値より大きいか否かを判定する。
ここで、Ｓ４１において、ミレッド値の差分（Ｍｐ−Ｍｓ）は第２閾値より大きくないと判定されれば、すべての処理を終了し、既に設定されたｐＷＢＣの内容で撮像が行われる。その理由は、ＭｐとＭｓが少し違うだけであるので、あえてストロボ発光を禁止するまでもないからである。
【００３９】
一方、Ｓ４１において、ミレッド値の差分（Ｍｐ−Ｍｓ）は第２閾値より大きいと判定されれば、ストロボ光の色温度がｐＷＢＣの色温度よりも大きいため、ｐＷＢＣを優先させて、Ｓ５０に進んで、ストロボ発光の設定を解除し、さらにＳ２１へ進む。
そこで、Ｓ２１において、ミレッド決定手段１７は、撮像前の（撮像使用とするその場での）モニタ画像の背景の色温度の逆数Ｍｂ（ミレッド値）を決定する。そのため、ミレッド決定手段１７は、ドラフトメモリ１４が出力する原撮像画像（画像処理前の撮像画像）を、例えば、撮像領域を２５６分割して測光し、その色温度を算出し、その逆数であるミレッド値Ｍｂを求める。
【００４０】
次に、Ｓ６１において、ミレッド比較手段１８は、ミレッド値の差分（Ｍｐ−Ｍｂ）は第１閾値より大きいか否かを判定する。ここに、第１閾値は第２閾値より小さい正の値である。
ここで、Ｓ６１において、ミレッド値の差分（Ｍｐ−Ｍｂ）は第１閾値より大きくないと判定されれば、すべての処理を終了し、既に設定されたｐＷＢＣの内容で撮像を行わせる。その理由は、ミレッド値ＭｐとＭｂとがあまり違わないからである。
【００４１】
一方、Ｓ６１において、ミレッド値の差分（Ｍｐ−Ｍｂ）は第１閾値より大きいと判定されれば、Ｓ６９に進んで、ミレッド値の差分（Ｍｐ−Ｍｂ）は第２閾値より大きいか否かを判定する。
ここで、Ｓ６９において、ミレッド値の差分（Ｍｐ−Ｍｂ）は第２閾値より大きくないと判定されれば、Ｓ７１に進み、制御手段１１は、警告手段１４を駆動して、ホワイトバランスがずれている旨の警告を生成させる。その理由は、ＭｐとＭｓが少し違うだけであるので、あえて撮像を禁止するまでもないからである。
【００４２】
そこで、Ｓ７１で警告を出した後はＳ７２に進み、ｐＷＢＣの設定を変更するか否かを撮像する者にＷＢＣ選択手段１６から入力させる。
ここで、Ｓ７２において、撮像する者が、ＷＢＣ設定を変更しない旨の入力を行えば、全処理を終了し、撮像する者の意思に従って、撮像を行わせる。
一方、Ｓ７２において、撮像する者が、ＷＢＣ設定を変更する旨の入力を行えば、Ｓ１０１に進み、制御手段１１は、ＷＢＣ設定手段１５を制御して、ｐＷＢＣを、これより精度の高いａＷＢＣに切り替える。
【００４３】
一方、Ｓ６９において、ミレッド値の差分（Ｍｐ−Ｍｂ）は第２閾値より大きいと判定されれば、Ｓ８０に進み、制御手段１１は、シャッタをロックする。その理由は、ミレッド値ＭｐとＭｂは相当程度異なるため、撮像に適さないからである。
そこで、Ｓ９０に進み、ｐＷＢＣの設定を変更するか否かを撮像する者にＷＢＣ選択手段１６から入力させる。
【００４４】
ここで、Ｓ９０において、撮像する者が、ＷＢＣ設定を変更する旨の入力を行えば、Ｓ１００に進んで、制御手段１１は、ｐＷＢＣを、３つのＷＢＣモードの中で最も精度が高いａＷＢＣに切り替える。
一方、Ｓ９０において、撮像する者が、ＷＢＣ設定を変更しない旨の入力を行えば、Ｓ９１に進み、制御手段１１は、シャッタロックを解除して、撮像する者の意思に従って、撮像を行わせる。
【図面の簡単な説明】
【００４５】
【図１】デジタル撮像機器に内蔵されたホワイトバランス調整装置のブロック図である。
【図２】照明光のミレッド値を決定する方法を説明するためのフローチャートである。
【図３】マニュアルホワイトバランス調整時のミレッド値の一例である。
【図４】マニュアルホワイトバランス調整を切り替える方法を説明するためのフローチャートである。
【図５】プリセットホワイトバランス調整を切り替える方法を説明するためのフローチャートである。
【符号の説明】
【００４６】
１  レンズ系
２  ＣＣＤ
３  Ａ／Ｄ
４  ドラフトメモリ
５  画像処理手段
６  圧縮処理手段
７  画像表示手段
８  画像記録手段
１０  ホワイトバランス調整（ＷＢＣ）装置
１１  制御手段
１２  シャッター
１３  ストロボ発光手段
１４  警告手段
１５  ＷＢＣ設定手段
１６  ＷＢＣ選択手段
１７  ミレッド決定手段
１８  ミレッド比較手段
【図１】
2006050436.tif 000003
【図２】
2006050436.tif 000004
【図３】
2006050436.tif 000005
【図４】
2006050436.tif 000006
【図５】
2006050436.tif 000007